(57)【特許請求の範囲】
【請求項１】
とじ足に対して被ファイル部材の差し込み又は抜き出しを可能にするとじ具において、前記とじ足を回転自在に支持する筺体を設け、前記とじ足は変角案内部を備え、前記とじ足の前記変角案内部が挿通して係合する変角案内孔が形成された変角部材を設け、前記変角部材を覆う蓋部を設け、前記とじ足の回転角度が変化するように前記変角部材を動かすために前記変角部材の長手方向の一つの端部に一体に形成された操作手段を設け、
前記操作手段は、前記変角部材の端部位に延設した固定側把持部と、前記固定側把持部に覆い被さるように配置された可動側把持部と、前記固定側把持部と前記可動側把持部とを連結する湾曲形状のスプリング部と、を有し、
前記スプリング部は、前記可動側把持部が前記固定側把持部から離れるように弾発力を発生し、
前記スプリング部の弾発力によって、前記可動側把持部が前記固定側把持部から離れるように付勢され、前記可動側把持部の先端部が前記蓋部の内面に強く押し付けられる
ことを特徴とするとじ具。
【請求項２】
前記可動側把持部の先端部に形成された係止孔と前記蓋部に形成されて前記係止孔を係止させる係止爪とからなる誤動作防止機構を設け、前記誤動作防止機構は、前記とじ足に対して前記被ファイル部材の差し込み又は抜き出しが不可能な状態で前記係止孔が前記係止爪に係止するように構成されたことを特徴とする請求項１に記載のとじ具。
【請求項３】
前記固定側把持部及び前記可動側把持部には、それぞれ窪部が形成されていることを特徴とする請求項１又は２に記載のとじ具。
【発明の詳細な説明】
【技術分野】
【０００１】
この発明は、とじ具に係り、特にとじ足に対して被ファイル部材の差し込み又は抜き出しを可能にするとじ具に関する。
【背景技術】
【０００２】
従来、とじ足に対して用紙等の被ファイル部材の差し込み又は抜き出しを可能にするとじ具においては、被ファイル部材にとじ穴を形成し、とじ具のとじ足に対して被ファイル部材のとじ穴を差し込み又は抜き出しをさせている。この場合、とじ具は、複数枚の被ファイル部材を重ねてとじるとともに、重ねられた被ファイル部材に関係なく、一枚の被ファイル部材の差し込み又は抜き出しを可能にしている。
このようなとじ具としては、例えば、以下のような先行技術文献がある。
【先行技術文献】
【特許文献】
【０００３】
【特許文献１】特許第４３３３８４９号公報
【０００４】
特許文献１に係るとじ具は、変角案内長孔（円弧状貫通孔）にとじ足を挿通した変角部材（変角板）を往復動させることで、とじ足を所定の角度に回転させ、被ファイル部材の差し込み又は抜き出しをさせるものである。
【発明の概要】
【発明が解決しようとする課題】
【０００５】
ところが、従来、とじ具においては、変角部材の端部位を人手で持って変角部材を動かすことから、その操作性が悪く、被ファイル部材の差し込み又は抜き出しが面倒になり、改善が望まれていた。
【０００６】
そこで、この発明は、変角部材の操作性を向上し、被ファイル部材の差し込み又は抜き出しを容易にさせることができるとじ具を提供することを目的とする。
【課題を解決するための手段】
【０００７】
この発明は、とじ足に対して被ファイル部材の差し込み又は抜き出しを可能にするとじ具において、前記とじ足を回転自在に支持する筺体を設け、前記とじ足は変角案内部を備え、前記とじ足の前記変角案内部が挿通して係合する変角案内孔が形成された変角部材を設け、前記とじ足の回転角度が変化するように前記変角部材を動かすための操作手段を設けたことを特徴とする。
【発明の効果】
【０００８】
この発明は、操作手段によって変角部材を動かすことから、変角部材の操作性を向上し、被ファイル部材の差し込み又は抜き出しを容易にすることができる。
【図面の簡単な説明】
【０００９】
【図１】図１はバインダーの斜視図である。（実施例１）
【図２】図２はとじ具の組立図である。（実施例１）
【図３】図３は筺体の正面図である。（実施例１）
【図４】図４は筺体の右側面図である。（実施例１）
【図５】図５は筺体の平面図である。（実施例１）
【図６】図６（Ａ）は筺体の裏側窪部の拡大平面図である。図６（Ｂ）は筺体の表側窪部の拡大平面図である。（実施例１）
【図７】図７（Ａ）はとじ足の正面図である。図７（Ｂ）はとじ足の右側面図である。図７（Ｃ）はとじ足の拡大平面図である。（実施例１）
【図８】図８（Ａ）は変角部材の平面図である。図８（Ｂ）は変角部材の右側面図である。（実施例１）
【図９】図９（Ａ）は蓋部の平面図である。図９（Ｂ）蓋部の右側面図である。（実施例１）
【図１０】図１０（Ａ）はスライド操作体の平面図である。図１０（Ｂ）はスライド操作体の右側面図である。図１０（Ｃ）はスライド操作体の底面図である。（実施例１）
【図１１】図１１は被ファイル部材を差し込み又は抜き出し可能に動いた場合の変角部材の平面図である。（実施例１）
【図１２】図１２は被ファイル部材を差し込み又は抜き出し可能に動いた場合のとじ足の拡大断面図である。（実施例１）
【図１３】図１３は被ファイル部材を差し込み又は抜き出し不可能に動いた場合の変角部材の平面図である。（実施例１）
【図１４】図１４は被ファイル部材を抜き差し又は抜き出し不可能に動いた場合のとじ足の拡大断面図である。（実施例１）
【図１５】図１５（Ａ）は操作部が一体に形成された変角部材の平面図である。図１５（Ｂ）は操作部が一体に形成された変角部材の右側面図である。（実施例２）
【図１６】図１６（Ａ）は誤動作防止機構の係止孔が形成された蓋部の平面図である。図１６（Ｂ）は誤動作防止機構の係止孔が形成された蓋部の右側面図である。（実施例２）
【図１７】図１７は被ファイル部材を差し込み又は抜き出し可能に変角部材が動いた場合の斜視図である。（実施例２）
【図１８】図１８は被ファイル部材を差し込み又は抜き出し不可能に変角部材が動いた場合の斜視図である。（実施例２）
【図１９】図１９は変角部材を構成するラック・ピニオン機構の平面図である。（実施例３の変形例１）
【図２０】図２０は変角部材を構成するラック・ピニオン機構の平面図である。（実施例３の変形例２）
【発明を実施するための形態】
【００１０】
この発明は、変角部材の操作性を向上し、被ファイル部材の差し込み又は抜き出しを容易にする目的を、変角部材を動かすための操作手段を設けて実現するものである。
【実施例１】
【００１１】
図１〜図１４は、この発明の実施例１を示すものである。
図１に示すように、バインダー１は、バインダー表体２に、とじ具３を取り付けて構成される。とじ具３は、複数枚の被ファイル部材Ｐを重ねてとじるとともに、重ねられた被ファイル部材Ｐに邪魔されることなく、一枚の被ファイル部材Ｐの差し込み又は抜き出しを可能にするものである。
被ファイル部材Ｐには、長手方向Ｘで、とじ側端Ｅに所定の間隔で離れた一対のとじ穴Ｈ・Ｈが形成される。とじ穴Ｈは、とじ側端Ｅへ末広がり状に形成された開口Ｈ１と、開口Ｈ１に連通した連通溝Ｈ２と、連通溝Ｈ２に連通し且つ連通溝Ｈ２の幅よりも大きな直径の内部孔Ｈ３とからなる。
ここで、被ファイル部材Ｐとしては、各種用紙、樹脂製のファイル用補助板などの各種の部材からなるものである。
【００１２】
バインダー表体２は、背面部４と裏面部５と表面部６とからなる。バインダー表体２においては、裏面部５に対して背面部４及び表面部６が離れる開き状態又は近づく閉じ状態となるように揺動する。
とじ具３は、長手方向Ｘに沿って背面部４の近くの略中央部位に配置され、所定の箇所に配置された複数（例えば４つ）の固定具７・７・７・７によって裏面部５の内面に固定される。これにより、とじ具３は、バインダー表体２に取り付けられる。
【００１３】
図１、図２に示すように、とじ具３は、筺体８と、一対のとじ足９・９と、変角部材１０と、蓋部１１と、操作手段１２とを備える。
【００１４】
図３〜図５に示すように、筺体８は、とじ足９・９を回転自在に支持するものであって、背側壁１３と裏側壁１４と表側壁１５と裏側傾斜壁１６と表側傾斜壁１７からなり、内部空間Ｓを有して断面Ｃ字形状に形成される。また、筺体８は、図５に示すように、平面視において、長手方向Ｘが短手方向Ｙよりも所定に長い長方形状に形成される
【００１５】
背側壁１３には、長手方向Ｘで、被ファイル部材Ｐの一対のとじ穴Ｈ・Ｈ間の距離だけ離れた箇所で整列案内突部１８・１８が形成される。整列案内突部１８・１８は、それぞれ、背側壁１３の一部に切り目を入れて内部空間Ｓ内へ突出するように変形され、平面視で断面三角形状に形成される。
整列案内突部１８・１８は、被ファイル部材Ｐがとじ足９・９に差し込まれる際に、被ファイル部材Ｐのとじ穴Ｈ・Ｈの内部孔Ｈ３・Ｈ３の中心がとじ足９・９の中心と一致するように案内するものである。
【００１６】
図１に示すように、裏側壁１４は、上記の複数の固定具７により、裏面部５の内面に固定されるものである。
図３、図４に示すように、裏側壁１４には、裏側窪部１９・１９が形成される。裏側窪部１９・１９は、背側壁１３の整列案内突部１８・１８と一致する箇所で所定の間隔に配置され、また、裏面部５の内面側に開放する裏側空間２０・２０を形成するように、裏面部５の内面側から所定の深さに形成される。裏側窪部１９・１９には、とじ足９・９の一端を挿通する裏側足回転孔２１・２１が形成される。
図６（Ａ）に示すように、裏側窪部１９には、裏側足回転孔２１の周辺で、とじ足９が回転した際に、とじ足９を一定の回転角度（例えば９０度）で停止する一対の裏側回転停止部２２・２２が形成される。
【００１７】
図３〜図５に示すように、表側壁１５には、裏側窪部１９・１９に対峙する箇所で、表側窪部２３・２３が形成される。表側窪部２３・２３は、表面部６側に開放する表側空間２４・２４を形成するように、表面部６側から所定の深さに形成される。表側窪部２３・２３には、裏側足回転孔２１・２１に対峙して表側足回転孔２５・２５が形成される。
図６（Ｂ）に示すように、表側窪部２３には、裏側窪部１９の裏側回転停止部２２と同様に、表側足回転孔２５の周辺で、とじ足９が回転した際に、とじ足９を一定の回転角度（例えば９０度）で停止する一対の表側回転停止部２６・２６が形成される。
また、図５に示すように、表側壁１５には、背側壁１３側の一側端に沿って複数（３つ）の蓋部取付用長孔２７・２７・２７が所定の間隔で直列に形成されるとともに、背側壁１３から離れた側の他側端に沿って複数（３つ）の蓋部取付用突部２８・２８・２８が所定の間隔で且つ所定の高さで形成される。
【００１８】
図７（Ａ）、図７（Ｂ）に示すように、とじ足９は、薄い板状の本体部２９を備える。
本体部２９の一端には、裏側空間２０内に配置される一側折曲片３０Ａ・他側折曲片３０Ｂが形成される。一側折曲片３０Ａ・他側折曲片３０Ｂは、裏面部５の内面上で且つ裏側空間２０内で回転自在に配置される。一側折曲片３０Ａと他側折曲片３０Ｂとにあっては、本体部２９の一面に対して一側折曲片３０Ａが所定の角度（例えば９０度）で折り曲げて形成されるとともに、本体部２９の他面に対して一側折曲片３０Ａから外れた箇所で他側折曲片３０Ｂが所定の角度（例えば９０度）で折り曲げて形成される。これにより、とじ足９の一端が裏側足回転孔２１から抜けるのを防止できる。
本体部２９の他端には、所定の角度θで捩られた捩れ部３１を介して平板状の変角案内部３２と、変角案内部３２の中央部位で軸方向へ延びる支持軸３３とが形成される。つまり、変角案内部３２は、図７（Ｃ）に示すように、平面視において、本体部２９の面に対して所定の角度θ（例えば４５度）で回転して形成される。なお、変角案内部３２は、平面視で、本体部２９の面に対して、所定の角度θで時計方向又は反時計方向のいずれかの方向へ捩られて形成されるものである。
【００１９】
図２に示すように、表側窪部２３・２３の表側空間２４・２４内には、とじ足９・９の捩れ部３１・３１に嵌装された環状部材３４・３４が配置される。環状部材３４は、ゴム製で弾性変形するものであって、捩れ部３１を挿通させる挿通孔３５を備えている。また、環状部材３４は、表側壁１５の面から突出しないように、表側空間２４内に収容される。従って、変角部材１０は、表側壁１５及び環状部材３４の面上でスムーズに往復動される。
【００２０】
図８（Ａ）、図８（Ｂ）に示すように、変角部材１０は、とじ足９・９の回転角度が変化するように筺体８の表側壁１５上で滑るように動かされるものであり、細長い板状に形成される。
変角部材１０には、とじ足９・９に対応する箇所で変角案内孔として、半径Ｒ・Ｒの円弧状の変角案内長孔３６・３６が形成される。変角案内長孔３６・３６は、とじ足９・９の変角案内部３２・３２を挿通して係合させるものであって、板状の変角案内部３２・３２の両面を挟むような所定の幅に形成される。また、変角案内長孔３６・３６は、変角部材１０の長手方向Ｘに長く且つ短手方向Ｙの一方へ突出するような円弧形状に形成される。
また、変角部材１０の一面には、変角案内長孔３６・３６間で、移動支持用溝３７・３７が所定の間隔に形成される。移動支持用溝３７は、変角部材１０の一面で短手方向Ｙに向かって所定の幅且つ所定の深さで楕円形状に形成される。
【００２１】
図９（Ａ）、図９（Ｂ）に示すように、蓋部１１は、変角部材１０を覆うように、細長い形状に形成され、中央部３８の周縁で一側短手部３９と他側短手部４０と一側長手部４１と他側長手部４２とが折り曲げられて形成される。
蓋部１１の一側長手部４１には、表側壁１５の蓋部取付用長孔２７・２７・２７に係止される複数（３つ）の固定用取付部４３・４３・４３が水平方向で突出して直列に形成される。他側長手部４２の外側面は、表側壁１５の蓋部取付用突部２８・２８・２８に係止される。
蓋部１１の中央部３８には、長手方向Ｘの中央軸線Ｇ上で所定の長さで且つ所定の幅で長方形状のスライド操作用長孔４４が形成される。また、蓋部１１の中央部３８には、スライド操作用長孔４４の長手方向Ｘの両側端において、一側操作部節度用溝４５Ａ・４５Ａと他側操作部節度用溝４５Ｂ・４５Ｂとが、平面視で三角形状に形成される。
また、蓋部１１の中央部３８には、スライド操作用長孔４４の両端側で、内部に突出する支持用窪部４６・４６が形成される。支持用窪部４６・４６には、とじ足９・９の支持軸３３・３３を挿通させるための支持孔４７・４７が形成される。
【００２２】
操作手段１２は、とじ足９・９の回転角度が変化するように変角部材１０を長手方向Ｘへ動かすためのものであり、この実施例１において、スライド操作体４８を備える。
スライド操作体４８は、図１０（Ａ）、図１０（Ｂ）、図１０（Ｃ）に示すように、基部４９と、基部４９から突出する操作突出部５０とが、一体的になって形成される。スライド操作体４８は、変角部材１０を筺体８の表側壁１５の面上で往復動するように、スライド移動可能なものである。
基部４９は、蓋部１１のスライド操作用長孔４４の幅よりも大きな幅であって、蓋部１１内に配置されてスライド操作用長孔４４から抜けないような形状に形成される。
操作突出部５０は、スライド操作用長孔４４の幅よりも小さな幅に形成され、スライド操作用長孔４４に内方から挿通され、且つスライド操作用長孔４４内で移動可能である。また、操作突出部５０は、長手方向Ｘの長さが、例えば、スライド操作用長孔４４の長さの略半分に形成される。
操作突出部５０は、両端で、人手の指を係止させる一対の係止用突部５１・５１を備える。これにより、スライド操作体４８がスムーズにスライド移動され、そして、とじ足９・９がスムーズに回転される。
【００２３】
スライド操作体４８の基部４９の底面には、図１０（Ｃ）に示すように、スプリング収容穴５２と、ピン支持穴５３・５３とが形成される。
スプリング収容穴５２は、底面から所定の幅・長さ・深さで長方形状に形成される。
支持穴５３・５３は、基部４９の両端側で、所定の直径で且つ所定の深さで形成されている。支持穴５３・５３には、図２に示すように、変角部材１０の移動支持用溝３７・３７に位置する連結部材としての連結ピン５４・５４の一端が挿着される。
連結ピン５４は、変角部材１０とスライド操作体４８とを連結するものであって、他端が変角部材１０の移動支持用溝３７・３７内で移動自在である。移動支持用溝３７は、連結ピン５４の他端が移動自在となるように、内部の底面域が連結ピン５４の直径よりも大きく設定される。操作手段１２は、この実施例１では、スライド操作体４８と連結ピン５４とを備える。
また、スライド操作体４８には、操作突出部５０の一側面で、スプリング収容穴５２に連通するスプリング突出用孔５５が水平方向に開口して形成される。
スプリング収容穴５２には、図１０（Ｃ）に示すように、節度用スプリング５６が収容して配置される。
節度用スプリング５６は、板状バネであって、所定の波形に形成され、両端側でスプリング収容穴５１の内面に接する端側丸み５７・５７と、中央部位で操作突出部５０のスプリング突出用孔５５から外方へ突出する中央突部５８とならなる。節度用スプリング５６は、スライド操作体４８がスライド操作用長孔４４の一端又は他端に当接したときに、中央突部５８が蓋部１１の一側操作部節度用溝４５Ａ・４５Ａ又は他側操作部節度用溝４５Ｂ・４５Ｂに係止することにより、スライド操作体４８に節度感を持たせるものである。
【００２４】
図１に示すように、バインダー表体２の表面部６には、誤動作防止機構（ロック機構）５９を構成するように、長方形状の操作体貫通孔６０が形成される。操作体貫通孔６０は、とじ足９が被ファイル部材Ｐの差し込み又は抜け出しが不可能の状態で且つ表面部６が閉じ状態の際に、操作突出部５０を挿通させ、変角部材１０及びとじ足９・９が動かないように保持するとともに、操作突出部５０が表面部６の閉じ状態を邪魔しないようにするものである。
この実施例１において、誤動作防止機構５９は、表面部６の操作体貫通孔６０とスライド操作体４８の操作突出部５０とで構成される。
【００２５】
次に、この実施例１に係るとじ具３の使い方について説明する。
図１１に示すように、とじ足９・９に対して被ファイル部材Ｐの差し込み又は抜き出しを可能とする場合には、スライド操作体４８を長手方向Ｘで前方向Ｆとは反対方向へ移動させると、変角部材１０が反時計方向へ円弧を描くように移動し、このとき、円弧状の変角案内長孔３６・３６に係合しているとじ足９・９の変角案内部３２・３２が変角案内長孔３６・３６の存在によって反時計方向へ回転することから、とじ足９・９の本体部２９・２９も共に回転する。
そして、スライド操作体４８の操作突出部５０が蓋部１１のスライド操作用長孔４４の一端に接してスライド操作体４８の移動が停止するととともに、図１２に示すように、とじ足９・９の本体部２９・２９が回転して裏側回転停止部２２・２２及び表側回転停止部２６・２６に当接すると、とじ足９・９の本体部２９・２９の平面が背側壁１３に対して直交方向（短手方向Ｙ）に向くことから、被ファイル部材Ｐの差し込み又は抜き出しを可能とする。
そして、とじ足９・９に対して被ファイル部材Ｐを差し込む際には、整列案内突部１８・１８は、被ファイル部材Ｐのとじ穴Ｈ・Ｈの開口Ｈ１・Ｈ１から連通溝Ｈ２・Ｈ２を案内し、その後、被ファイル部材Ｐの内部孔Ｈ３・Ｈ３の中心がとじ足９・９の中心に一致するように案内する。そして、被ファイル部材Ｐの内部孔Ｈ３・Ｈ３は、とじ足９・９に嵌装される。
反対に、とじ足９・９に対して被ファイル部材Ｐを抜き出す際には、被ファイル部材Ｐをとじ足９・９から抜き出すことにより、被ファイル部材Ｐのとじ穴Ｈ・Ｈがとじ足９・９から外れる。
【００２６】
一方、図１３に示すように、とじ足９・９に対して被ファイル部材Ｐの差し込み又は抜き出しを不可能とする場合には、スライド操作体４８を長手方向Ｘで前方向Ｆへ移動すると、変角部材１０が時計方向で円弧を描きながら移動し、このとき、円弧状の変角案内長孔３６・３６に係合しているとじ足９・９の変角案内部３２・３２が変角案内長孔３６・３６の存在によって時計方向へ回転することから、とじ足９・９の本体部２９・２９も共に回転する。
そして、スライド操作体４８の操作突出部５０が蓋部１１のスライド操作用長孔４４の他端に接してスライド操作体４８の移動が停止するとともに、図１４に示すように、とじ足９・９の本体部２９・２９が回転して裏側回転停止部２２・２２及び表側回転停止部２６・２６に当接すると、とじ足９・９の本体部２９・２９の平面が背側壁１３に対して平行方向（長手方向Ｘ）に向くことから、被ファイル部材Ｐの差し込み又は抜き出しを不可能とする。
そして、表面部６が表側壁１５を覆うように閉じ状態となる際に、操作体貫通孔６０に内方から操作突出部５０を挿通させ、スライド操作体４８が動かないように保持して変角部材１０及びとじ足９・９の誤動作を防止するとともに、操作突出部５０が表面部６の閉じ状態を邪魔しないようにすることができ、表面部６を完全な閉じ状態、つまり、蓋部１１の表面に表面部６の内面が当たるようにすることができ、収納や保管などでその取り扱いを容易とする。
【００２７】
この結果、この実施例１の構造においては、とじ足９・９の回転角度を変化させるために、操作手段１２のスライド操作体４８を長手方向Ｘへスライド移動してとじ足９・９を回転させるので、変角部材１０の操作性を向上し、被ファイル部材Ｐの差し込み又は抜き出しを容易にすることができる。
【００２８】
なお、この実施例１においては、単一のとじ足９のみを回転させるように、一つのとじ足９に対してのみ回転させる変角部材１０を設けることも可能である。
【実施例２】
【００２９】
図１５〜図１８は、この発明の実施例２を示すものである。
以下の実施例においては、上述の実施例１と同一機能を果たす箇所には、同一符号を付して説明する。
この実施例２の特徴とするところは、以下の点にある。即ち、操作手段１２は、変角部材１０の長手方向Ｘの一つの端部、つまり、前方向Ｆの端部位と一体に形成された操作部６１を備える。
この実施例２において、とじ足９・９の変角案内部３２・３２は、上記の実施例１の場合と比較して、本体部２９・２９の面に対して所定の角度θ（例えば４５度）で逆方向へ回転して形成される。これに伴い、裏側窪部１９・１９の裏側回転停止部２２・２２及び表側窪部２３・２３の表側回転停止部２６・２６は、上記の実施例１の場合と比較して、９０度だけ回転した位置に形成される。
操作部６１は、変角部材１０の端部位に延設した固定側把持部６２と固定側把持部６２に覆い被さるように配置された可動側把持部６３とが、湾曲形状のスプリング部６４によって連結して構成される。スプリング部６４は、可動側把持部６３が固定側把持部６２から離れるように、弾発力を発生する。
この場合、可動側把持部６３は、スプリング部６４の弾発力によって固定側把持部６２から離れるように付勢され、スプリング部６４を中心として固定側把持部６２に対して接離するように揺動される。また、可動側把持部６３の先端部６３Ａは、変角部材１０が前方向Ｆに移動したときに、蓋部１１の中央部３８の端部３８Ａ内に所定の長さで重なるように配置され、スプリング部６４の弾発力によって中央部３８の端部３８Ａの内面に強く押し付けられる。
固定側把持部６２・可動側把持部６３には、人手の指が滑らないように、固定側滑り防止用窪部６５・可動側滑り防止用窪部６６が形成される。
この実施例２において、とじ具３には、誤動作防止機構５９が設けられる。
誤動作防止機構５９は、図１５に示すように、操作部６１の可動側把持部６３の先端部６３Ａに形成された係止孔６７と、図１６に示すように、変角部材１０を覆う蓋部１１の中央部３８の端部３８Ａに形成されて係止孔６７を係止させる係止爪６８とからなる。誤動作防止機構５９は、とじ足９に対して被ファイル部材Ｐの差し込み又は抜き出しが不可能な状態で、係止孔６７が係止爪６８に係止するように構成される。
【００３０】
次に、この実施例２に係るとじ具３の使い方について説明する。
図１７に示すように、とじ足９に対して被ファイル部材Ｐの差し込み又は抜き出しを可能とする場合に、先ず、可動側把持部６３をスプリング部６４の弾発力に抗して固定側把持部６２側に押し込んで誤動作防止機構５９を解除させ、そして、操作部６１を把持して変角部材１０を長手方向Ｘで前方向Ｆへ移動すると、変角部材１０が時計方向へ円弧を描くように移動し、このとき、円弧状の変角案内長孔３６・３６に係合しているとじ足９・９の変角案内部３２・３２が変角案内長孔３６・３６の存在によって時計方向へ回転することから、とじ足９・９の本体部２９・２９も共に回転する。
そして、変角部材１０の変角案内長孔３６・３６の一端がとじ足９・９の変角案内部３２・３２に接して変角部材１０の移動が停止するととともに、とじ足９・９の本体部２９・２９が回転して裏側回転停止部２２・２２及び表側回転停止部２６・２６に係止し、とじ足９・９の本体部２９・２９の平面が背側壁１３に対して直交方向（短手方向Ｙ）に向くことから、被ファイル部材Ｐの差し込み又は抜き出しを可能とする。
このとき、可動側把持部６３の先端部６３Ａがスプリング部６４の弾発力によって蓋部１１の中央部３８の端部３８Ａの内面に強く押し付けられることから、変角部材１０の誤動作が防止される。
そして、被ファイル部材Ｐをとじ足９・９に差し込む場合に、被ファイル部材Ｐをとじ足９・９へ近づけると、整列案内突部１８・１８は、被ファイル部材Ｐのとじ穴Ｈ・Ｈの中心がとじ足９・９の中心に一致するように、被ファイル部材Ｐを案内する。
被ファイル部材Ｐをとじ足９・９から抜き出す場合には、とじ足９・９に対して被ファイル部材Ｐを抜き出すことにより、被ファイル部材Ｐのとじ穴Ｈ・Ｈがとじ足９・９から外れる。
【００３１】
一方、図１８に示すように、とじ足９・９に対して被ファイル部材Ｐの差し込み又は抜き出しを不可能とする場合に、操作部６１を把持して変角部材１０を長手方向Ｘで前方向Ｆとは反対方向へ移動すると、変角部材１０が反時計方向へ円弧を描くように移動し、このとき、円弧状の変角案内長孔３６・３６に係合しているとじ足９・９の変角案内部３２・３２が変角案内長孔３６・３６の存在によって反時計方向へ回転することから、とじ足９・９の本体部２９・２９も共に回転する。
そして、とじ足９・９の本体部２９・２９が回転して裏側回転停止部２２・２２及び表側回転停止部２６・２６に係止すると、とじ足９・９の本体部２９・２９の平面が背側壁１３に対して平行方向（長手方向Ｘ）に向くことから、被ファイル部材Ｐの差し込み又は抜き出しを不可能とする。
そして、操作部６１の可動側把持部６３を押さえている指の力を抜くことにより、可動側把持部６３の係止孔６７が蓋部１１の係止爪６８に係止し、誤動作防止機構５９がロック状態となり、変角部材１０の動きが防止される。これにより、変角部材１０が動かないように保持し、変角部材１０及びとじ足９・９の誤動作を防止することができる。
【００３２】
この結果、この実施例２によれば、変角部材１０と一体に操作部６１を設けたことにより、操作性を向上し、また、部品点数を低減して構成を簡単にすることができ、さらに、誤動作防止機構５９によって被ファイル部材Ｐをとじ足９・９に堅固に保持させ、収納や保管などでその取り扱いを容易とすることができる。
【実施例３】
【００３３】
図１９、図２０は、この発明の実施例３を示すものである。
この実施例３の特徴とするところは、以下の点にある。即ち、とじ具３において、とじ足９を回転させるための変角部材１０は、図１９に示すラック・ピニオン機構７１、又は図２０に示すラック・ピニオン機構８１によって構成される。
【００３４】
図１９に示すように、この実施例３の変形例１に係るラック・ピニオン機構７１は、単一のとじ足９に取り付けられて外周面にピニオン歯７２Ａを備えるピニオン７２と、ピニオン７２のピニオン歯７２Ａの一側に噛み合うように所定の長さで形成されたラック歯７３Ａを備えてとじ足９を回転するように往復動するラック７３とからなる。ラック７３の長手方向Ｘの一方の端部（前方向Ｆの端部）には、操作部７４が一体的に形成される。
また、操作部７４・蓋部１１には、上記の実施例２の場合と同様に、誤動作防止機構５９を設けることも可能である。
なお、この場合、ピニオン７２には、一側のみならず他側との双方でラック７３を配置することも可能である。
【００３５】
次に、この実施例３の変形例１に係るとじ具３の使い方について説明する。
とじ足９に対して被ファイル部材Ｐの差し込み又は抜き出しを可能とする場合には、ラック７３を長手方向Ｘの一方へ移動させ、とじ足９の本体部２９の平面が背側壁１３に対して直交方向へ向くようする。
一方、とじ足９に対して被ファイル部材Ｐの差し込み又は抜き出しを不可能とする場合には、ラック７３を長手方向Ｘの他方へ移動させ、とじ足９の本体部２９の平面が背側壁１３に対して平行に、つまり、長手方向Ｘへ向くようする。
この実施例３の変形例１の構造によれば、とじ足９がラック・ピニオン機構７１によって回転されることから、とじ足９の回転をスムーズにすることができ、操作性を向上でき、また、構造の簡素化を図ることができる。
【００３６】
図２０に示すように、この実施例３の変形例２に係るラック・ピニオン機構８１は、一対のとじ足９・９に対して連動するように、一対の支持軸３３・３３に取り付けられて外周面にピニオン歯８２Ａ・８２Ａを備える一対のピニオン８２・８２と、一対のピニオン８２・８２のピニオン歯８２Ａ・８２Ａの一側に噛み合うように所定の長さで形成されたラック歯８３Ａ・８３Ａを備えてとじ足９・９を回転するように往復動するラック８３とからなる。ラック８２の長手方向Ｘの一方の端部（前方向Ｆの端部）には、操作部８４一体的に形成される。
また、操作部８４・蓋部１１には、上記の実施例２の場合と同様に、誤動作防止機構５９を設けることも可能である。
なお、この場合、一対のピニオン８２・８２には、一側のみならず他側との双方でラック８３を配置することも可能である。
【００３７】
次に、この実施例３の変形例２に係るとじ具３の使い方について説明する。
とじ足９・９に対して被ファイル部材Ｐの差し込み又は抜き出しを可能とする場合には、ラック８３を長手方向Ｘの一方へ移動させ、とじ足９・９の本体部２９・２９の平面が背側壁１３に対して直交方向へ向くようする。
一方、とじ足９・９に対して被ファイル部材Ｐの差し込み又は抜き出しを不可能とする場合には、ラック８３を長手方向Ｘの他方へ移動させ、とじ足９・９の本体部２９・２９の平面が背側壁１３に対して平行に、つまり、長手方向Ｘへ向くようする。
この実施例３の変形例２の構造によれば、一対のとじ足９・９が一つのラック・ピニオン機構８１によって回転されることから、とじ足９・９の回転をスムーズにすることができ、操作性を向上させ、また、構造の簡素化を図ることができる。
【産業上の利用可能性】
【００３８】
この発明に係るとじ具は、単体で使用したり、各種事務用品にも適用可能である。
【符号の説明】
【００３９】
１  バインダー
２  バインダー表体
３  とじ具
４  背面部
５  裏面部
６  表面部
８  筺体
９  とじ足
１０  変角部材
１１  蓋部
１２  操作手段
１３  背側壁
１４  裏側壁
１５  表側壁
１８  整列案内突部
３２  変角案内部
３３  支持軸
３６  変角案内長孔（変角案内孔）
４８  スライド操作体
５４  連結ピン（連結部材）
５９  誤動作防止機構
【図１】
0006484130.tif 000002
【図２】
0006484130.tif 000003
【図３】
0006484130.tif 000004
【図４】
0006484130.tif 000005
【図５】
0006484130.tif 000006
【図６】
0006484130.tif 000007
【図７】
0006484130.tif 000008
【図８】
0006484130.tif 000009
【図９】
0006484130.tif 000010
【図１０】
0006484130.tif 000011
【図１１】
0006484130.tif 000012
【図１２】
0006484130.tif 000013
【図１３】
0006484130.tif 000014
【図１４】
0006484130.tif 000015
【図１５】
0006484130.tif 000016
【図１６】
0006484130.tif 000017
【図１７】
0006484130.tif 000018
【図１８】
0006484130.tif 000019
【図１９】
0006484130.tif 000020
【図２０】
0006484130.tif 000021